(57)【特許請求の範囲】
【請求項１】
入水温センサと熱交換器が上流側からこの順序で配設された通水回路と、
前記通水回路を流れる被加熱水の流量ＱＬを測定する為の水量センサと、
前記熱交換器を加熱するガスバーナと、
給湯器用リモコンに設けられ且つ給湯設定温度を設定する為の給湯温度設定器と、
ガスバーナへの点火可否を判定する為の点火判定基準温度をＴ１，前記入水温センサの検知温度をＴ０，前記ガスバーナの燃焼可能な範囲で定められた特定燃焼量に対応する発熱量をＷとした場合に「点火流量Ｑｔ＝Ｗ／（Ｔ１−Ｔ０）」よりも前記流量ＱＬが大きくなったときに前記ガスバーナを燃焼させる制御手段を具備し、
前記給湯温度設定器で設定された給湯設定温度が閾値温度よりも低い場合は該閾値温度を前記点火判定基準温度Ｔ１として採用する一方、
前記給湯設定温度が前記閾値温度以上の場合は前記給湯設定温度を前記点火判定基準温度Ｔ１として採用する、給湯器において、
前記給湯設定温度の被加熱水を前記通水回路に供給する一次側給湯源が、前記給湯設定温度の被加熱水を前記通水回路に供給できない状態に陥って「補正温度ＭＴ＝給湯設定温度−Ｗ／ＱＬ」以下の被加熱水を前記通水回路に供給し且つ加熱許可信号を出力している場合は、前記給湯温度設定器で設定された給湯設定温度が前記閾値温度より低い場合でも該給湯設定温度を前記点火判定基準温度Ｔ１として採用する、給湯器。
【請求項２】
請求項１に記載の給湯器に於いて、
前記特定燃焼量は、前記燃焼可能な範囲に於ける最小燃焼量である、給湯器。
【発明の詳細な説明】
【０００１】
【発明の属する技術分野】
本発明は、太陽熱温水器等の一次側給湯源からの温水を更に加熱昇温させる場合でも、該加熱昇温動作が適正に行えるようにした給湯器に関するものである。
【０００２】
【従来の技術】
一般的な給湯器は、ガスバーナを最小燃焼量で燃焼させても給湯設定温度を超える高温水が流出してしまう不都合を防止する為、被加熱水の流量がガスバーナへの点火可否の判定基準たる点火流量Ｑｔを超えた場合にのみ前記ガスバーナに点火するようにしている。
【０００３】
そして、給湯器に流入する被加熱水の入水温をＴ０，前記ガスバーナの最小燃焼量に対応する発熱量をＷｍｉｎとすると、上記点火流量Ｑｔは、
点火流量Ｑｔ＝Ｗｍｉｎ／（給湯設定温度−Ｔ０）      ・・・（Ａ）
の演算式で決定されると共に、該点火流量Ｑｔよりも被加熱水の流量が大きくなったときに前記ガスバーナに点火されるようになっている。
【０００４】
このようにすると、入水温Ｔ０の被加熱水が最小燃焼量Ｗｍｉｎで燃焼するガスバーナによって給湯設定温度まで加熱昇温され、被加熱水の流量が点火流量Ｑｔ未満の場合はガスバーナには点火されないから、予期しない高温水が給湯場所の出湯蛇口から流出する不都合を防止できる。
【０００５】
一方、従来の給湯器として、遠隔操作用のリモコンに設けられた給湯温度設定器でセットされた給湯設定温度が閾値温度未満の場合には、上記演算式（Ａ）の右辺の給湯設定温度に代えて閾値温度（例えば、６０℃）を採用し、これにより、上記点火流量Ｑｔを求めるものがある。
【０００６】
給湯設定温度が閾値温度未満の場合に、該閾値温度（例えば、６０℃）を用いて点火流量Ｑｔを演算するのは次の理由による。即ち、前記閾値温度を用いると上記演算式（Ａ）の右辺の分母が大きくなって点火流量Ｑｔが小さくなることから、出湯蛇口が絞られた小量出湯の場合でもガスバーナが燃焼しない不都合を少なくすることが出来るからである。
【０００７】
一方、上記従来の給湯器には、太陽熱温水器等からの温水と上水道からの冷水を給湯設定温度に混合して該混合水を給湯器に供給する湯水混合ユニットのような一次側給湯源が接続されることがある。
【０００８】
上記湯水混合ユニットは、太陽熱温水器等からの温水温度が低下して上記給湯設定温度の混合水を給湯器に供給できない状態に陥ると、このことを示す信号（以下、「加熱許可信号」という。）を給湯器に出力する機能を備えている。又、上記湯水混合ユニットは、給湯設定温度の混合水を給湯器に供給できない状態に陥った場合は、給湯器のガスバーナを最小燃焼量で燃焼させることによって給湯設定温度まで加熱昇温させることが出来る温度（以下、「補正温度ＭＴ」という。）の混合水を給湯器に供給する機能を備えている。補正温度ＭＴの混合水を給湯器に供給するのは、上記補正温度ＭＴの混合水を、最小燃焼量で燃焼する水給湯器によって給湯設定温度まで加熱昇温させ得るようにし、これにより、燃料ガスの浪費を防止する為である。
【０００９】
しかしながら、上記従来の給湯器に上記湯水混合ユニットを接続すると、該湯水混合ユニットから加熱許可信号が出力された場合には、該加熱許可信号が出力される前に湯水混合ユニットから給湯器に繋がる配管内に充満した給湯設定温度の温水が給湯器で既述閾値温度（例えば、６０℃）まで加熱されることがある。ガスバーナの点火の可否を判断するための点火流量Ｑｔが上記閾値温度を用いて演算されているからである。又、上記加熱許可信号によって給湯器が強制燃焼させられる形式のものでは、上記閾値温度より更に高温の温水が加熱生成されることがある。
【００１０】
ところが、加熱許可信号の出力前に湯水混合ユニットから給湯器に繋がる配管内に充満した温水は給湯設定温度になっているからこれを給湯器で更に追焚きする必要はない。
【００１１】
又、加熱許可信号の出力後は、給湯設定温度に基づいて演算された補正温度ＭＴの温水、即ち、ガスバーナを最小燃焼量で燃焼させることにより、給湯設定温度の温水を加熱生成できる温度の温水が湯水混合ユニットから給湯器に供給される。従って、給湯設定温度を用いて点火水量Ｑｔを演算すれば、給湯器は必ず燃焼すると共に給湯設定温度を超える高温水を出湯する不都合も防止できる。
【００１２】
尚、太陽熱温水器からの温水の温度が更に低下して、湯水混合ユニットから上記補正温度ＭＴ未満の混合水が流出する場合は、これが給湯器の本来的な機能によって給湯設定温度まで追焚きされる。
【００１３】
【発明が解決しようとする課題】
本発明は、上記考察の結果なされたもので、
『入水温センサと熱交換器が上流側からこの順序で配設された通水回路と、
前記通水回路を流れる被加熱水の流量ＱＬを測定する為の水量センサと、
前記熱交換器を加熱するガスバーナと、
給湯器用リモコンに設けられ且つ給湯設定温度を設定する為の給湯温度設定器と、
ガスバーナへの点火可否を判定する為の点火判定基準温度をＴ１，前記入水温センサの検知温度をＴ０，前記ガスバーナの燃焼可能な範囲で定められた特定燃焼量に対応する発熱量をＷとした場合に「点火流量Ｑｔ＝Ｗ／（Ｔ１−Ｔ０）」よりも前記流量ＱＬが大きくなったときに前記ガスバーナを燃焼させる制御手段を具備し、
前記給湯温度設定器で設定された給湯設定温度が閾値温度よりも低い場合は該閾値温度を前記点火判定基準温度Ｔ１として採用する一方、
前記給湯設定温度が前記閾値温度以上の場合は前記給湯設定温度を前記点火判定基準温度Ｔ１として採用する、給湯器』において、
既述太陽熱温水器と湯水混合ユニット等から成る一次側給湯源を接続した場合に、該一次側給湯源から加熱許可信号が出力されたときに給湯器の上流側の配管内に充満した給湯設定温度の温水が該給湯器で更に加熱昇温される不都合を防止することを課題とする。
【００１４】
【課題を解決するための手段】
［１項］
上記課題を解決するための本発明の技術的手段は、
『前記給湯設定温度の被加熱水を前記通水回路に供給する一次側給湯源が、前記給湯設定温度の被加熱水を前記通水回路に供給できない状態に陥って「補正温度ＭＴ＝給湯設定温度−Ｗ／ＱＬ」以下の被加熱水を前記通水回路に供給し且つ加熱許可信号を出力している場合は、前記給湯温度設定器で設定された給湯設定温度が前記閾値温度より低い場合でも該給湯設定温度を前記点火判定基準温度Ｔ１として採用する』ことである。
【００１５】
上記技術的手段は次のように作用する。
一次側給湯源が給湯設定温度の被加熱水を通水回路に供給できない状態に陥ると、該一次側給湯源から既述補正温度ＭＴの被加熱水が給湯器に供給されると共に加熱許可信号が出力される。すると、本発明の給湯器は、給湯設定温度が閾値温度より低い場合であっても該給湯設定温度を点火判定基準温度Ｔ１として採用し、これにより、「点火流量Ｑｔ＝Ｗ／（Ｔ１−Ｔ０）」を演算する。そして、この演算した点火流量Ｑｔよりも通水回路を流れる被加熱水の実際の流量ＱＬが大きい場合はガスバーナを燃焼させる。
【００１６】
この場合、加熱許可信号が出力される前に一次側給湯源から給湯器までの配管内に充満している被加熱水は給湯設定温度になっているから、通水回路に於ける熱交換器の上流側に配設された入水温センサの検知温度Ｔ０は、給湯設定温度、即ち、点火判定基準温度Ｔ１と等しくなり、これにより、上記「点火流量Ｑｔ＝Ｗ／（Ｔ１−Ｔ０）」は無限大の値となってガスバーナは燃焼することがない。
【００１７】
その後、上記給湯設定温度の被加熱水に続けて一次側給湯源から流出する上記補正温度ＭＴの被加熱水が入水温センサで検知されると、ガスバーナが特定燃焼量で燃焼して給湯設定温度の温水が熱交換器から流出する。
【００１８】
即ち、一次側給湯源から流出する混合水の補正温度ＭＴは、
補正温度ＭＴ＝給湯設定温度−Ｗ／ＱＬ    ・・・▲１▼
の演算式で演算されている。
【００１９】
一方、一次側給湯源から加熱許可信号が出力されている条件下では、点火判定基準温度Ｔ１として給湯設定温度が採用されるから、給湯器のガスバーナの点火流量Ｑｔは
点火流量Ｑｔ＝Ｗ／（給湯設定温度−入水温度Ｔ０）          ・・・▲２▼
で演算される。
【００２０】
▲１▼式の補正温度ＭＴと▲２▼式の入水温度Ｔ０は等しいから、▲１▼式のＭＴを▲２▼式のＴ０に代入すると、
点火流量Ｑｔ＝Ｗ／（給湯設定温度−給湯設定温度＋Ｗ／ＱＬ）  ・・・▲３▼
となり、
点火流量Ｑｔと水量センサ（７３）の検知流量ＱＬが等しくなる。
【００２１】
従って、現時点においては、ガスバーナを燃焼させる為に必要な点火流量Ｑｔの被加熱水が通水回路に流れていることが分かる。
【００２２】
従って、給湯器のガスバーナが上記特定燃焼量で燃焼すると、上記補正温度ＭＴの被加熱水が給湯設定温度まで加熱昇温されることとなる。尚、補正温度ＭＴ未満の被加熱水が一次側給湯源から流出している場合は、給湯器が本来的に有している温調機能によってガスバーナが所定の燃焼量で燃焼し、これにより、被加熱水が給湯設定温度まで加熱昇温される。
【００２３】
一方、一次側給湯源から給湯設定温度の混合水を給湯器に供給できる状態に復帰した場合は、加熱許可信号が消失する。この場合は、一次側給湯源から給湯器に繋がる配管内に充満する補正温度ＭＴの被加熱水が熱交換器部分で給湯設定温度に加熱され終わって入水温センサの検知温度が再び給湯設定温度に復帰したときに、上記の如く点火流量Ｑｔが無限大の値になるから、この時点で初めてガスバーナが消火する。よって、ガスバーナが早切れして上記補正温度ＭＴ以下の被加熱水が給湯設定温度まで加熱昇温されないような不都合がない。
【００２４】
尚、通水回路の上流側に一次側給湯源を接続しない場合は、既述閾値温度又は給湯設定温度の何れか高温の温度を点火判定基準温度Ｔ１として点火流量Ｑｔが演算され、これにより、既述従来の給湯器と同様にガスバーナが点火されてその後の給湯動作進行する。
【００２５】
［２項］
前記１項に於いて、
『前記特定燃焼量は、前記燃焼可能な範囲に於ける最小燃焼量である』ものでは、一次側給湯源から流出する補正温度ＭＴの温水を、最小燃焼量で燃焼するガスバーナによって給湯設定温度まで加熱昇温させることが可能になり、燃料ガスが無駄に消費されるのを防止することができる。
【００２６】
【発明の効果】
本発明は上記構成であるから、次の特有の効果を有する。
通水回路の上流側に接続された一次側給湯源から給湯器までの配管内に充満した給湯設定温度の被加熱水が給湯器で更に加熱昇温される不都合がない。
【００２７】
又、上記給湯設定温度の被加熱水に続けて一次側給湯源から供給される補正温度ＭＴの被加熱水は、給湯器の熱交換器部分で確実に給湯設定温度まで加熱昇温される。
【００２８】
よって、一次側給湯源から流出する被加熱水の温度が給湯設定温度から低い温度に温度低下しても、該温度低下の前後に亘る被加熱水の温度を常に給湯設定温度まで加熱昇温させることができる。
【００２９】
更に、一次側給湯源から給湯設定温度の混合水が給湯器に供給できる状態に復帰し、これにより、加熱許可信号が消失した場合は、上記したように、ガスバーナが早切れすることがない。従って、上記補正温度ＭＴの被加熱水が給湯設定温度まで加熱昇温されないような不都合が防止できる。
【００３０】
２項のものでは、上記したように、最小燃焼量で燃焼するガスバーナによって給湯設定温度まで加熱昇温させることができるから、燃料ガスが無駄に消費されるのを防止することができる。
【００３１】
【発明の実施の形態】
次に、上記した本発明の実施の形態を図面に従って詳述する。
図１は、本発明の実施の形態に係る給湯器（７）を備えた給湯システムの概略図であり、太陽熱温水器（５）から引き出された上流側温水回路（５６）を流れる温水と上水道に繋がる給水回路（５９）を流れる冷水は湯水混合ユニット（１）で混合された後に給湯器（７）に供給されると共に、該給湯器（７）で加熱生成された温水は浴槽（８１）や湯水混合栓（８２）に給湯されるようになっている。
【００３２】
そして、本実施の形態では、上記太陽熱温水器（５）と湯水混合ユニット（１）の組み合わせが、既述技術的手段の項に記載の一次側給湯源に対応している。
以下各部の詳細を説明する。
【００３３】
［湯水混合ユニット（１）について］
湯水混合ユニット（１）は、上記上流側温水回路（５６）が接続され且つソーラ温センサ（３０）を具備する温水回路（１４）と、給水回路（５９）が接続され且つ冷水温センサ（３１）を具備する冷水回路（１５）と、これらの合流点に配設された湯水混合器（２０）と、該湯水混合器（２０）から下流側に延長された混合水回路（２９）を具備している。又、該混合水回路（２９）には、該混合水回路（２９）内の流量を測定する水量センサ（３２）と、混合水温センサ（３３）が配設されている。
【００３４】
又、上記湯水混合器（２０）等の電気部品はミキシング制御装置（１１）に電気接続されていると共に、該ミキシング制御装置（１１）は通信ケーブル（７８）を介して後述する給湯器（７）のリモコン（７１）に接続されており、該リモコン（７１）は３５℃〜８０℃の温度範囲内で給湯設定温度をセットできる機能を備えている。そして、上記温度範囲は、後述するように、３５℃〜６０℃までの低温域と、６０℃〜８０℃の高温域に区分されており、これらの境界温度（６０℃）が既述した閾値温度に対応している。
【００３５】
上記湯水混合ユニット（１）は、ソーラ温センサ（３０）の検知温度（太陽熱温水器（５）からの温水の温度）がリモコン（７１）の給湯温度設定器（６８）にセットされた給湯設定温度より高温の場合は、混合水温センサ（３３）の検知温度が前記給湯設定温度になるように湯水混合器（２０）を制御する。一方、湯水混合器（２０）で冷水回路（１５）側を全閉にし且つ温水回路（１４）側を全開にしても混合水温センサ（３３）の検知温度が給湯設定温度にならない場合（給湯中に太陽熱温水器（５）からの温水の温度が給湯設定温度未満に温度低下した場合等）には、混合水温センサ（３３）の検知温度が次に記載する補正温度ＭＴになるように湯水混合器（２０）が制御される。
【００３６】
補正温度ＭＴ＝給湯設定温度−Ｗｍｉｎ／ＱＬ
ここで、Ｗｍｉｎは、給湯器（７）のガスバーナ（６１）の燃焼可能な範囲の下限値たる最小燃焼量であるが、最小燃焼量よりも若干大きな値に設定してもよい。
又、ＱＬは水量センサ（３２）の検知流量である。
【００３７】
又、補正温度ＭＴの混合水を湯水混合器（２０）で混合する場合には、ミキシング制御装置（１１）から通信ケーブル（７８）を介して給湯器（７）の給湯制御装置（６５）に加熱許可信号が送信されるようにしている。
【００３８】
［給湯器（７）について］
給湯器（７）の給湯器本体（７０）に形成された通水回路（７２）には、該通水回路（７２）を流れる被加熱水の流量を測定する為の水量センサ（７３）と、入水温センサ（７９）と、熱交換器（７４）と、出湯温センサ（７５）と、湯張り弁（７６）とがこの順序で上流側から順次配設されており、該湯張り弁（７６）の下流側には浴槽（８１）が配管接続されるようになっている。又、上記通水回路（７２）に於ける湯張り弁（７６）の上流側からの分岐回路（７７）は、湯水混合栓（８２）の温水弁（８３）側に配管接続されていると共に、湯水混合栓（８２）の冷水弁（８４）側には給水回路（８５）が接続されている。
【００３９】
一方、熱交換器（７４）を加熱するガスバーナ（６１）へのガス回路（６２）には、元弁（６３）と比例弁（６４）がこの順序で上流側から配設されていると共に、該元弁（６３）や比例弁（６４）は、水量センサ（７３）や出湯温センサ（７５）の出力を監視する給湯制御装置（６５）で制御されるようになっている。
【００４０】
又、給湯制御装置（６５）には、通信ケーブル（７８）を介してリモコン（７１）が接続されていると共に、該リモコン（７１）には、運転スイッチ（６６）と湯張りスイッチ（６７）と給湯温度設定器（６８）と更に表示部（６９）が設けられている。
【００４１】
［動作の実際］
上記給湯制御装置（６５）には、図２のフローチャートで示す内容の制御プログラムが格納されている。以下、上記給湯器（７）の動作の実際を、図２のフローチャートに従って説明する。
給湯温度設定器（６８）で予め給湯設定温度をセットし、この状態で運転スイッチ（６６）を投入すると、該投入がステップ（ＳＴ１）で確認される。
【００４２】
次に、ステップ（ＳＴ２）で湯張りスイッチ（６７）の投入が確認されない場合は、ステップ（ＳＴ３）で湯水混合ユニット（１）のミキシング制御装置（１１）から加熱許可信号が出力されているか否かを判断する。
【００４３】
そして、加熱許可信号が出力されている場合は、リモコン装置（７１）の給湯温度設定器（６８）で設定された給湯設定温度を給湯温メモリＴに点火判定基準温度Ｔ１として記憶させる（ステップ（ＳＴ５）参照）。一方、上記ミキシング制御装置（１１）から加熱許可信号が出力されていない場合、又は、湯水混合ユニット（１）が接続されていない場合（この場合は加熱許可信号が給湯制御装置（６５）に印加される余地なない）は、リモコン（７１）の給湯温度設定器（６８）で設定された給湯設定温度が閾値温度たる６０℃未満か否かがステップ（ＳＴ４）で判断される。そして、６０℃未満であればステップ（ＳＴ６）で湯温メモリＴに６０℃を点火判定基準温度Ｔ１として記憶させる一方、６０℃以上であればステップ（ＳＴ５）で給湯温メモリＴに給湯設定温度（給湯温度設定器（６８）で設定した温度）を点火判定基準温度Ｔ１として記憶させる。そして、ステップ（ＳＴ７）で、「点火流量Ｑｔ（リットル／分）＝（最小発熱量Ｗｍｉｎ／（点火判定基準温度Ｔ１−入水温度Ｔ０））」を演算する。
【００４４】
ここで、最小発熱量Ｗｍｉｎは、予め定められているガスバーナ（６１）の燃焼可能範囲中の下限値に対応する該ガスバーナ（６１）の発熱量であり、入水温度Ｔ０は、入水温センサ（７９）の検知温度である。
【００４５】
次に、ステップ（ＳＴ８）〜（ＳＴ１０）を実行し、水量センサ（７３）の検知流量ＱＬが上記点火流量Ｑｔ以上になっている湯水混合栓（８２）が絞られていないことがステップ（ＳＴ８）で確認されると（湯水混合栓（８２）が開放されている場合）、ステップ（ＳＴ１０）で元弁（６３）を開弁させると共にガスバーナ（６１）に点火させる。
【００４６】
そして、この点火時に於いては、給湯器（７）は次のように動作する。即ち、太陽熱温水器（５）からの温水温度が低下して湯水混合ユニット（１）のミキシング制御装置（１１）から既述加熱許可信号が出力された直後（この場合はステップ（ＳＴ３）（ＳＴ５）で給湯温メモリＴに給湯設定温度が記憶されている。）においては、ミキシング装置（１）から給湯器（７０）に繋がる配管（１９）内に充満した給湯設定温度の被加熱水が入水温センサ（７９）部分を通過するまでは、ガスバーナ（６１）には点火されず、その後、既述補正温度ＭＴの被加熱水が入水温センサ（７９）部分に到達したときに、ガスバーナ（６１）に点火される。入水温センサ（７９）が補正温度ＭＴを検知すると、該検知温度が入水温度Ｔ０として採用されて点火流量Ｑｔが演算される（ステップ（ＳＴ７））と共に、該点火流量Ｑｔは水量センサ（７３）が検知している現在の被加熱水の流量ＱＬに等しくなっているからである。
【００４７】
即ち、水量センサ（７３）と湯水混合ユニット（１）内の水量センサ（３２）は共に等しい流量ＱＬを検知している。
【００４８】
そして、一次側給湯源たる湯水混合ユニット（１）から供給される混合水の補正温度ＭＴは、
補正温度ＭＴ＝給湯設定温度−Ｗｍｉｎ／ＱＬ    ・・・▲１▼
の演算式で演算されている。
【００４９】
一方、給湯器のガスバーナの点火の可否を判定する為の点火流量Ｑｔは
点火流量Ｑｔ＝Ｗｍｉｎ／（点火判定基準温度Ｔ１−入水温度Ｔ０）・・・▲２▼
で演算されるが、加熱許可信号が出力されている場合は上記点火判定基準温度Ｔ１は給湯設定温度にセットされている。
【００５０】
そして、▲１▼式のＭＴと▲２▼式のＴ０は等しいから、▲１▼式のＭＴを▲２▼式のＴ０に代入すると、
点火流量Ｑｔ＝Ｗ／（点火判定基準温度Ｔ１−給湯設定温度＋Ｗ／ＱＬ）    ・・・▲３▼
となり、
太陽熱温水器（５）からの温水温度が低下して湯水混合ユニット（１）のミキシング制御装置（１１）から既述加熱許可信号が出力された直後は、▲３▼式の「点火判定基準温度Ｔ１−給湯設定温度」は０であるから、点火流量Ｑｔと水量センサ（７３）の検知流量ＱＬが等しくなるのである。
【００５１】
これにより、既述補正温度ＭＴの被加熱水が入水温センサ（７９）部分に到達したときに、ガスバーナ（６１）に点火され、補正温度ＭＴの被加熱水より下流側の被加熱水（給湯設定温度の被加熱水）がガスバーナ（６１）で加熱されて高温になることがない。
【００５２】
又、補正温度ＭＴの被加熱水は最小燃焼量で燃焼するガスバーナ（６１）で給湯設定温度まで加熱昇温される。即ち、給湯器のガスバーナが最小燃焼量で燃焼すると、上記補正温度ＭＴの被加熱水が給湯設定温度まで加熱昇温される。
【００５３】
尚、補正温度ＭＴ未満の被加熱水が一次側給湯源から流出している場合は、給湯器が本来的に有している温調機能によってガスバーナが最小燃焼量より大きな燃焼量で燃焼し、これにより、被加熱水が給湯設定温度まで加熱昇温される。
【００５４】
尚、上記点火時に於いては、給湯温度設定器（６８）で設定された給湯設定温度が６０℃より低い場合でも該６０℃の温水が湯水混合栓（８２）に供給されることがある（ステップ（ＳＴ６）で給湯温メモリＴに６０℃を記憶させている場合）が、湯水混合栓（８２）の温水弁（８３）と冷水弁（８４）の開度を適宜調節することによって所望温度の温水を該湯水混合栓（８２）から取り出すことが出来る。従って、かかる場合は、給湯設定温度が例えば３７℃程度の低温であっても、ステップ（ＳＴ７）で求められる点火流量Ｑｔは６０℃の値を用いて演算される結果、該点火流量Ｑｔが比較的小さな値となる。即ち、上記低温の３７℃の温水を熱交換器（７４）で加熱生成する場合に比べて、点火流量Ｑｔが小さな値となり、該小さな流量でガスバーナ（６１）が燃焼し始める。これにより、湯水混合栓（８２）の開度が絞られて出湯量が少なくなっている場合でも、ガスバーナ（６１）が燃焼しないという不都合が生じにくい。
【００５５】
次に、ステップ（ＳＴ１１）で、出湯温センサ（７５）の検知温度が給湯温度設定器（６８）で設定された給湯設定温度に等しくなるよに、ガスバーナ（６１）の燃焼量（比例弁（６４）の開度）が調整される。
【００５６】
次に、湯水混合栓（８２）が閉じられて水量センサ（７３）の検知流量が上記点火流量Ｑｔより若干小さな消火流量Ｑｓ未満になると、ステップ（ＳＴ１２）からステップ（ＳＴ１３）に制御動作が移行して元弁（６３）が閉じられる。
【００５７】
一方、既述ステップ（ＳＴ２）を実行したときに湯張りスイッチ（６７）が投入されていることが確認されると、ステップ（ＳＴ１４）で給湯設定温度（リモコン（７１）の給湯温度設定器（６８）で設定された温度）を湯温メモリＴに記憶させ、その後、該給湯設定温度を用いて浴槽（８１）への湯張り動作を実行する（ステップ（ＳＴ１５））。即ち、湯張り弁（７６）を開弁すると共に上記給湯設定温度の温水を熱交換器（７４）部分で加熱生成させ、これにより、浴槽（８１）に湯張り量（本実施の形態では１８０リットル）の温水を供給する。
尚、上記実施の形態では、自然エネルギーを利用した太陽熱温水器（５）からの温水を湯水混合ユニット（１）から給湯器（７）に供給する構成としたが、太陽熱温水器（５）に代えて、各種の廃熱を利用した種々の温水供給装置を適用することができる。
【図面の簡単な説明】
【図１】本発明の実施の形態に係る給湯器（７）を備えた給湯システムの概略図
【図２】給湯器（７）の動作を説明するフローチャート
【符号の説明】
（１）・・・湯水混合ユニット
（６１）・・・ガスバーナ
（６８）・・・湯温設定器
（７２）・・・通水回路
（７３）・・・水量センサ
（８２）・・・湯水混合栓
【図１】
0003730901.tif 000002
【図２】
0003730901.tif 000003